(57)【要約】【課題】  横軸周りのドラムによる脱水回転時において、バッフルにより洗濯物のアンバランスを速やかに解消できるようにする。【解決手段】  洗濯物を収容し横軸周りに脱水回転するドラム１４と、このドラム１４の内周面に洗濯物を撹拌するため内方に突出した複数のバッフルを備えたものにおいて、  前記バッフルのうち少なくとも一つは、前記ドラム１４の脱水回転方向に面する側面１８ｂがドラム内周面と接する角度が、反脱水回転方向に面する側面１８ａがドラム内周面と接する角度より小さい角度で接する形状からなる変形バッフル１８として構成するとともに、他のバッフル１７の少なくとも反脱水回転方向側の側面と異なる角度の形状とした構成とする。【選択図】  図１
2007061265.tif 000002
【特許請求の範囲】
【請求項１】
洗濯物を収容し横軸周りに脱水回転するドラムと、このドラムの内周面に洗濯物を撹拌するため内方に突出した複数のバッフルを備えたものにおいて、
前記バッフルのうち少なくとも一つは、前記ドラムの脱水回転方向に面する側面がドラム内周面と接する角度が、反脱水回転方向に面する側面がドラム内周面と接する角度より小さい角度で接する形状からなる変形バッフルとして構成するとともに、他のバッフルの少なくとも反脱水回転方向側の側面と異なる角度の形状としたことを特徴とするドラム式洗濯機。
【請求項２】
変形バッフルにあって、その脱水回転方向に面する側面と反脱水回転方向に面する側面とが形成する角度が、直角以下の構成としたことを特徴とする請求項１記載のドラム式洗濯機。
【請求項３】
変形バッフルにあって、軸方向に傾く傾斜面を備えたことを特徴とする請求項１又は２記載のドラム式洗濯機。
【請求項４】
変形バッフル及びその他のバッフルにあって、これらの少なくともドラムの反脱水回転方向に面する側面がドラム内周面と接する角度が、いずれも異なる角度の形状としたことを特徴とする請求項１ないし３のいずれかに記載のドラム式洗濯機。
【発明の詳細な説明】
【技術分野】
【０００１】
本発明は、洗濯物を収容するドラム内周面に洗濯物撹拌のため、複数のバッフルを備えたドラム式洗濯機に関する。
【背景技術】
【０００２】
従来、この種洗濯機は、周知のようにドラム内周面に、内方に突出し通常山形状をなす複数のバッフルを備えている。このバッフルは、特に洗い行程やすすぎ行程において洗濯物を持ち上げては落下させるたたき洗いに有効であるとともに、脱水行程においても洗濯物を持ち上げドラム内周面に張り付ける上で有効に作用する。そして、特に洗浄性能を向上するために種々の形態のものが提案されていて、例えばバッフルの表面を凹凸形状として上記たたき洗い加えて、こすり洗いの効果も得ようとするものである（例えば、特許文献１参照）。
【０００３】
しかるに、上記特許文献１をはじめ一般的に洗いやすすぎ行程では、ドラムは低速回転せられ且つ正逆回転する条件下において洗濯物の撹拌効果の向上を図ったバッフル形状としており、中には、次行程の脱水回転に備え洗濯物の良好なバランス配置も可能であるとしている。しかしながら、脱水行程に移行してからも脱水回転開始に伴ない洗濯物がアンバランスな配置となり振動や騒音の要因となっている。すなわち、脱水回転初期では水分を多量に含み重量大なる洗濯物によりアンバランス荷重となり易いこと、或は急激な多量の脱水作用は異常な泡の発生を招き、円滑な脱水回転ができないなどの憂いを有している。そこで、通常は急激な脱水回転の上昇を抑えるべく脱水初期の加速途中で暫時低速回転する区域を設け、その後に高速回転域に移行し定常回転に至る脱水行程を実行するようにしている。
【０００４】
ところが、この低速回転による脱水初期では洗濯物は上部に持ち上げられた後、遠心作用より重力が勝り落下するという動作を繰り返すことになる。図１１は、上記理由を説明すべく基本的な一例を図示したもので、同図（ａ）に示すようにドラム１の内周面に例えば３等配された位置に同一形状のバッフル２を備えている。このバッフル２に引っ掛けられた洗濯物Ｓは、ある高さを超えるとバッフル２から外れ鉛直方向に落下する。このときの、落下加速度は重力と遠心力の差で決まる。
【０００５】
尚、上記した洗濯物の高さ位置は、図中遠心力の基点である中心を通る水平線上の位置（Ａ点）から脱水回転方向（矢印Ｒ）への角度θにて表すことができる。しかるに、図中に示すＢ点は上記Ａ点から∠９０度位置のドラム最上部の位置で、同Ｃ点は更に∠９０度回動した位置のＡ点と対向位置にあることを示す。また、バッフル２の根元部分における遠心力（垂直成分）Ｆは破線矢印で示し、バッフル２の上端部分における遠心力（垂直成分）Ｇは実線矢印で表している。
【０００６】
そして、同図（ｂ）は上記遠心力Ｆ，Ｇ成分を正弦波図として表したもので、つまり遠心力は回転中心からの半径で決まるため、バッフル２の根元と上端部とでは異なる振幅を示す正弦波となる。そこで今、一つのバッフル２の上端部がある角度θ１に達したとき、バッフル２の引っ掛かりがなくなり洗濯物の落下が始まるとすると、上端部における遠心力Ｇ成分の落下始点イに対し、根元部に張り付いていた洗濯物も遠心力Ｆ成分の落下始点ロで示すように若干遅れて（図中、角度θ３相当）落下が始まる。これは、遠心力Ｆが大きいだけ落下加速度が小さくなるからである。
【特許文献１】特開２００４−５７６５７号公報
【発明の開示】
【発明が解決しようとする課題】
【０００７】
しかるに、上記洗濯物の持ち上げ及び落下動作は、複数のバッフル２が同一形状であるため、ドラムの一方向の脱水回転によれば洗濯物を持ち上げ且つ張り付くバッフル面は常に同じ面となり、ドラムに張り付かない洗濯物は単一的な落下動作を繰り返すこととなる。従って、洗濯物を拡散した状態でドラム内周面に遠心張り付けできないばかりか、結果としてアンバランス配置を招き振動や騒音発生の要因となっていた。
【０００８】
本発明は、上記問題点を解決するために、バッフルが脱水回転時における洗濯物のバランス配置に有効に作用し、円滑な脱水回転が期待できるドラム式洗濯機を提供することを目的とする。
【課題を解決するための手段】
【０００９】
上記目的を達成するために、本発明のドラム式洗濯機は、洗濯物を収容し横軸周りに脱水回転するドラムと、このドラムの内周面に洗濯物を撹拌するため内方に突出した複数のバッフルを備えたものにおいて、前記バッフルのうち少なくとも一つは、前記ドラムの脱水回転方向に面する側面がドラム内周面と接する角度が、反脱水回転方向に面する側面がドラム内周面と接する角度より小さい角度で接する形状からなる変形バッフルとして構成するとともに、他のバッフルの少なくとも反脱水回転方向側の側面と異なる角度の形状としたことを主たる特徴とするものである。
【発明の効果】
【００１０】
上記手段によれば、変形バッフルによる脱水回転時における洗濯物の落下動作が、他のバッフルの場合より遅れて開始され、これにより洗濯物を広く分散することができ、延いてはドラム内周面にバランスよく遠心張り付けが可能となり、振動騒音を抑えた円滑な脱水回転が期待できるドラム式洗濯機を提供できる。
【発明を実施するための最良の形態】
【００１１】
以下、本発明のドラム式洗濯機を示す一実施例につき、図１〜図５を参照して説明する。まず、図１に示す上記洗濯機の全体構成を示す縦断面図に基づき、その概略構成につき説明すると、洗濯機の外郭を形成する矩形箱状の外箱１１内には、弾性支持機構１２を介して水槽１３が弾性支持され、該水槽１３内にドラム１４を横軸周りに回転可能に備えている。従って、ドラム１４は水槽１３の背壁中央に軸受け装置１５を介して、やゝ傾斜状に軸支されており、その後端部に配設された例えばアウタロータ形モータからなる駆動装置１６に連結されている。
【００１２】
前記ドラム１４の胴部分である内周面には、内方に突出し軸方向に延びた山形状の複数の例えば３個（２個のみ図示）のバッフルを円周方向に等間隔に設けている。その具体的構成は後述するが、例えば３個のうち２個のバッフル１７は共通の形状であるのに対し、これとは形状が異なる１個のバッフル１８を備えた構成としている。その他、図１中、１９は洗濯物投入口を開閉する扉、２０は熱風循環機構で、これは水槽１３の外側に該水槽１３の上下部で連通し送風装置やヒータ装置等を具備してなり、乾燥行程において熱風を循環するようにしている。
【００１３】
ここで、まず上記１個のバッフル１８の具体構成につき、図２〜図３に基づき説明する。そのうち、図２はバッフル１８の実施例品の形状を正確に記載したもので、同図（ａ）は平面図で、同図（ｂ）は（ａ）の矢視方向から見た側面図である。詳細は後述するが、その両側面１８ａ，１８ｂが異なる角度α１，α２（α１＞α２）をなすとともに、両側面１８ａと１８ｂとで形成される角度βが直角以下としている。
【００１４】
これに対し、図３はバッフル１７，１８の全容につき模式的に展開して示したもので、同図（ａ）には前記ドラム１４及び脱水回転方向（矢印Ｒ）に対する各バッフル１７，１８の配置構成が主に示され、また同図（ｂ）にはバッフル１８の脱水回転方向Ｒに面した側面１８ｂと回転方向Ｒと逆方向側（反回転方向Ｒ）に面した側面１８ａが、夫々ドラム１４の内周面と接する角度α２，α１が異なる角度形状であることが明示され、更に同図（ｃ）には図（ｂ）の矢視方向からの平面図が示されている。
尚、上記角度α１，α２を設定するドラム１４内周面は、厳密には大きな円弧面をなしているが、図２（ｂ）に示すようにバッフル１８に対する接線が実質的に相当するものとして記載し、また同図に示すように各側面１８ａ，１８ｂについても実態は若干凹面となしているが実質的に直線とみなして記載し説明する。
【００１５】
該図３から明らかなように、本実施例では３個のバッフル１７，１８のうち側面形状が左右対称で共通の形状とする２個のバッフル１７と、側面１８ａ，１８ｂ形状が非対称とする１個のバッフル１８（以下、変形バッフルと称す）が等間隔に配置され、特にはドラム１４の脱水回転方向Ｒに側面１８ｂが面するように配設されている。従って、変形バッフル１８は脱水回転方向Ｒ側には角度α２が、反脱水回転方向Ｒ側にα１（α１＞α２）が形成され夫々面した配置構成にある。尚、共通形状の２個のバッフル１７の両側面が形成する各角度は、本実施例では図３に示すように変形バッフル１８の側面１８ｂが形成する角度α２と同角度とし、従って側面１８ａの角度α１より小さい角度としている。
【００１６】
次に、上記構成のドラム式洗濯機の作用について説明する。まず、洗いやすすぎ行程では周知の如く水槽１３及びドラム１４内に所定水位まで給水された後、ドラム１４が駆動装置１６により正逆回転駆動され、図示しない洗濯物を洗浄する。すなわち、各バッフル１７，１８の側面にて洗濯物を引っ掛けて持ち上げては落下させるたたき洗いを主とした洗浄を行なう。この場合、正逆回転されるため側面１８ａ側でも洗濯物が持ち上げられる。従って、側面１８ａ側におけるドラム１４内周面と接する角度α１を大きくするほど、該側面１８ａによる洗濯物の引っ掛かり作用が低下するので、この引っ掛かり作用が消失しない角度設定としている（例えば、α１が∠１４５度に対し、α２は∠１１５度）。
【００１７】
次いで、脱水行程につき図４及び図５の作用説明図も随時参照して説明する。そのうち、図４（ａ）はドラム１４の脱水回転時に変形バッフル１８に生じる遠心作用の説明図で、同図（ｂ）はその遠心力成分を正弦波図に表したものである。また、図５はドラム１４の脱水回転制御の概要を説明するための図である。
この脱水行程では、ドラム１４をいきなり高回転域に回転上昇させることなく、図５に示すように洗濯物Ｓがドラム１４の内周面に張り付く程度の低回転域、例えば６０ｒｐｍの低回転数で暫時運転するようにして、脱水初期の共振点や多量の水を含む洗濯物の不安定動作時期を乗り切るに有効な制御手段を施し、そしてドラム１４内周面への良好な遠心張り付けができるようにした後、高回転域に移行するようにしている。
【００１８】
しかるに、以下脱水回転時におけるバッフルの機能につき説明すると、ドラム１４を脱水回転方向Ｒに低速回転することにより、遠心力は図４（ａ）に示すドラム１４の回転中心からの半径で決まるため、変形バッフル１８の根元と上端部とでは異なる振幅を示す正弦波となり、且つ根元部は位相が遅れる。そこで今、バッフル１８の上端部が角度θ１に達したとき、バッフル１８の引っ掛かりがなくなり洗濯物Ｓの落下が始まるとした場合、図４（ｂ）に示すように上端部の遠心力Ｇ成分の落下始点イに対し、根元部に張り付いていた洗濯物Ｓは遠心力Ｈ成分の落下始点ロで示すように若干遅れて落下が始まる。つまり、落下始点イから更に角度θ２回動した位置が根元部の落下始点ロであり、ドラム１４の最上部位置Ｂを通過した位置を示している。
【００１９】
これは、変形バッフル１８の側面１８ａの角度α１が他の角度α２より大きい関係（角度α１＞α２）にあって、該側面１８ａは回転方向Ｒ側の側面１８ｂより長い傾斜面を形成して位相がずれるからである。従って、変形バッフル１８の根元部分における洗濯物Ｓの落下始点ロは、上端部の落下始点イより遅れて落下開始し、これは従来例を示す図１１中の落下始点ロ（角度θ３）がＢ点手前に位置していることからも、本実施例の落下始点ロ（角度θ２）では従来に比し相当に遅れて落下することになる（角度θ２＞θ３）。
【００２０】
これに対し、他のバッフル１７は従来例を示す図１１にて開示したものと同一形状にあって、且つ本実施例の図３（ａ）にて示すように、各側面が接する角度α２による同一角度の形状にして、洗濯物を持ち上げそして速い落下作用が行なわれる。斯くして、脱水回転初期の低速回転時にあっては、変形バッフル１８と他のバッフル１７とは洗濯物Ｓの落下始点が異なり、この組み合わせにより洗濯物Ｓは広く分散した状態を得ることができる。従って、ドラム１４の内周面にも分散した状態で張り付けることが可能となり、洗濯物のバランス良好な脱水回転が実行できる。
尚、洗濯物Ｓの持ち上げ作用については、脱水回転方向Ｒに面する側には角度α２とする小さい角度の側面１８ｂが指向しているので、他のバッフル１７と同様に脱水回転に際して洗濯物を常に有効に持ち上げることができる。
【００２１】
また、図３にて開示したように変形バッフル１８において、各側面１８ａと１８ｂとの間で形成される角度βは直角以下（例えば、∠８０度）としている。これは、本実施例が対象とする反脱水回転方向Ｒに面する側面１８ａの角度α１を適正角度に規制することに有効である。すなわち、角度α１を大きくすればするほど前記落下始点ロ（図４（ｂ）参照）が大きく遅れて、洗濯物の分散配置に好都合であるが、当該角度α１を過度に大きくすると洗いやすすぎ時の洗濯物の引っ掛かりや水流が弱くなり、特にたたき洗いに必要な持ち上げ作用が減少して洗浄率及びすすぎ率が低下したり、更にはドラム１４の内容積をも小さくすることになる。依って、上記角度βを管理することでも洗いと脱水共に有効で適正な変形バッフル１８を製作できる。
【００２２】
上記した実施例によれば、次のような効果を得ることができる。
すなわち、複数（３個）のバッフル１７，１８において、そのうちの一つのバッフル１８を、ドラム１４の脱水回転方向Ｒに面する側面１８ｂがドラム内周面と接する角度α２が、反脱水回転方向Ｒに面する側面１８ａの同角度α１より小さい角度（角度α１＞α２）で接するようにして、左右非対称の変形バッフル１８として構成し、特には反回転方向Ｒ側の角度α１の設定に基づき、左右対称の側面からなる他のバッフル１７とは異なる角度を有する形状とした。
【００２３】
この結果、一方向の脱水回転時にあって変形バッフル１８による洗濯物Ｓの落下始点ロを、他のバッフル１７の落下始点イより大きく遅らすことができ、この落下動作の差異に基づき洗濯物を広く分散することができて洗濯物をバランスよく配置でき、延いてはドラム１４の内周面にバランスよく遠心張り付けが可能となり、振動騒音を抑えた円滑な脱水回転が期待できる。
また、バッフル１８の両側面１８ａ，１８ｂが形成する角度βが直角以下としたので、上記側面１８ａ側の角度α１が過度に大きくなるのを防ぎ、ドラム１４を正逆回転させる洗いやすすぎにおいて、側面１８ａ側の洗濯物の引っ掛かり（持ち上げ）機能を損なわないようにでき、洗い性能等の低下を抑えることができる。
【００２４】
しかるに、上記実施例を基本的構成として、主に変形バッフル１８に一部加工を加えるなどして、より優れた作用効果を得ることが可能である。以下、図６〜図１０は上記実施例に対する第１〜第４の変形例を示したもので、上記実施例と同一部分には同一符号を付して説明を省略し、異なる点のみ説明する。
（第１の変形例）
まず図６は、第１の変形例を示す図３相当図で、同図（ａ）は配置構成を主に示し、同図（ｂ）は変形バッフル１８の異なる方向からみた外形形状を示している。このものは、変形バッフル１８において、ドラム１４の脱水回転方向Ｒに面する側面１８ｂの両端部（角部近傍）に、該側面１８ｂが有する角度α２による傾きとは異なる軸方向に傾く傾斜面２１を設けたもので、所謂角部を斜めにカットした如き形状としたものである。
【００２５】
このように、変形バッフル１８の脱水回転方向Ｒに面する側面１８ｂに軸方向の傾斜面２１を追加したことにより、該側面１８ｂに複数の異なる傾きの傾斜面を備えたことになり、脱水回転時にドラム１４内周面に洗濯物が張り付くとき、該バッフル１８の軸方向に対しても均一に張り付き易くなるとともに、剥がれて落下する場合にも傾斜面２１が面する軸方向に広がる作用を有する。斯くして、洗濯物は軸方向に広がって張り付き、また剥がれて落下する場合は軸方向の広がりも含めた分散効果が期待でき、洗濯物のアンバランスを速やかに解消するのに有効である。
【００２６】
（第２の変形例）
図７は、第２の変形例を示す図３相当図で、このものは変形バッフル１８にあって、ドラム１４の脱水回転方向Ｒとは逆方向側に面する側面１８ａの両端部（角部近傍）に、該側面１８ａの角度α１による傾きとは異なる軸方向に傾く傾斜面２２を設けたもので、所謂角部を斜めにカットした如き形状としたものである。
【００２７】
このように、バッフル１８の反脱水回転方向Ｒに面する側面１８ａに軸方向の傾斜面２２を追加したことにより、該側面１８ａに複数の異なる傾きの傾斜面を備えたことになり、上記第２変形例と同様に脱水回転時にドラム１４内周面に遠心作用を受けた洗濯物が張り付くときバッフル１８の軸方向に対しても均一に張り付き易くなるとともに、剥がれて落下する場合にも傾斜面２２が面する軸方向に広がる作用を有する。斯くして、洗濯物は軸方向に広がって張り付き、また剥がれて落下する場合は軸方向の広がりも含めた分散効果が期待でき、洗濯物のアンバランスを速やかに解消するのに有効である。
【００２８】
（第３の変形例）
図８は、第３の変形例を示す実質的に図３相当図で、更に同図（ｄ）に示す正面図が追加されている。このものは変形バッフル１８にあって、その両端部に軸方向に傾く傾斜面２３を追加形成したものである。
【００２９】
斯くして、傾斜面２３は図（ｃ），（ｄ）から明らかなようにバッフル１８の軸方向端部に向かって徐々に低くなる山形状をなしているので、脱水回転方向Ｒに対し低い部分における脱水回転時の洗濯物の持ち上げ作用は減少し、本来の高い山形部分では多量の洗濯物を持ち上げることができる。このため、洗濯物は持ち上げ作用が減少した軸方向側に広がる効果を招き、結果的に上記変形例と同様に洗濯物は軸方向に広がって張り付き、また剥がれて落下する場合は軸方向の広がりも含めた分散効果が期待でき、洗濯物のアンバランスを速やかに解消するのに有効である。
【００３０】
（第４の変形例）
図９及び図１０は、第４の変形例を示すもので、図９はドラム１４の内周面に装着されたいずれも異なる形状の３個のバッフル１７，１８，２４の配置構成を示し、図１０（ａ），（ｂ），（ｃ）には個々のバッフル形状を示したものである。
このものは、変形バッフル１８とその他のバッフルとの組み合わせに関するもので、今３個のバッフルのうち変形バッフル１８及びバッフル１７は上記実施例で記述したところのバッフル形状であるのに対し、これに新たに形状の異なる謂わば第３のバッフル２４を組み合わせた構成にある。
【００３１】
すなわち、図１０の（ａ），（ｂ），（ｃ）に夫々順に示すように、これらは脱水回転方向Ｒと逆方向側に面する側面がドラム１４内周面と接する角度α２，α１，α３がいずれも異なる角度の形状としている。因みに、バッフル１７と変形バッフル１８とは既述の通り角度α１が大きい（α１＞α２）。そして，第３のバッフル２４の同角度α３は、例えば上記バッフル１８の角度α１より更に大きい角度（α２＜α３）とするとともに、その脱水回転方向Ｒに面する角度を、上記角度α３より小さい例えば角度α２としている。
【００３２】
このように、３個のバッフル１７，１８，２４は、反脱水回転方向Ｒに面する側面１８ａ等が形成する角度α２，α１，α３が順次大きくなる角度形状にし（α２＜α１＜α３）、一方脱水回転方向Ｒに面する側の角度はそれらよりいずれも小さい角度α２としたものである。従って、脱水回転時にはバッフル１７，１８，２４の順にほぼ均等間隔で洗濯物を有効に持ち上げ、ドラム１４内周面に張り付ける作用をなすのに対し、洗濯物が剥がれ落下する際は、上記角度α２，α１，α３が大きいほど遅れて落下する。
【００３３】
斯くして、最も角度が小さいバッフル１７（角度α２）に引っ掛かった洗濯物が最も速く落下し、次いでバッフル１８（角度α１）及び２４（角度α３）に引っ掛かった洗濯物がその間隔を大きくしながら落下することになる。この結果、洗濯物の分散効果を高めドラム１４内周面への均等貼り付けに一層有効となる。
但し、各バッフル１７，１８，２４は、夫々の反脱水回転方向Ｒにおける角度α２，α１，α３が順次大きくなるように配置したが、これに限らず適宜入替えても同様の効果が期待できるし、更には脱水回転方向Ｒにおける小さい角度α２も個々に異なる角度形状とすることも可能である。
【００３４】
尚、本発明は上記し且つ図面に示した実施例に限定されることなく種々変更して実施できるもので、例えばバッフルの形状は上記実施例で述べた傾斜角度などの基本的構成以外について、例えば個数とか高さを変えた山形状とするとか洗浄効果などを考慮して種々変更することを妨げない。その他、実施に際し本発明の要旨を逸脱しない範囲で具体的に種々変更して実施できるものである。
【図面の簡単な説明】
【００３５】
【図１】本発明の一実施例を示すドラム式洗濯機全体の概略構成を示す縦断面図
【図２】（ａ）実態に即したバッフルの平面図、及び（ｂ）矢視方向からの側面図
【図３】（ａ）複数のバッフルの配置構成図、（ｂ）バッフル単体の側面図、及び（ｃ）矢視方向からの平面図
【図４】（ａ）脱水回転時の遠心作用の説明図、及び（ｂ）遠心力成分を表す正弦波図
【図５】脱水回転制御の一例を示す説明図
【図６】第１の変形例を示す図３相当図
【図７】第２の変形例を示す図３相当図
【図８】第３の変形例を示す図３相当図
【図９】複数の異なるバッフルの配置構成図
【図１０】（ａ）、（ｂ）、（ｃ）は異なるバッフルの側面図
【図１１】従来例を示す図４相当図
【符号の説明】
【００３６】
図面中、１３は水槽、１４はドラム、１７はバッフル、１８は変形バッフル、１８ａ，１８ｂは側面、２１，２２，２３は傾斜面、及び２４は第３のバッフルを示す。
【図１】
2007061265.tif 000003
【図２】
2007061265.tif 000004
【図３】
2007061265.tif 000005
【図４】
2007061265.tif 000006
【図５】
2007061265.tif 000007
【図６】
2007061265.tif 000008
【図７】
2007061265.tif 000009
【図８】
2007061265.tif 000010
【図９】
2007061265.tif 000011
【図１０】
2007061265.tif 000012
【図１１】
2007061265.tif 000013